(57)【特許請求の範囲】
【請求項１】
第１通信事業者システムと確立し、遠隔サーバーが配分した、サービス共有を提供するユーザー身分識別情報を取得するための第１通信チャネルと、
前記ユーザー身分識別情報によって対応する第２通信事業者システムと確立し、前記第２通信事業者システムが提供したサービスを取得するための第２通信チャネルと、の少なくとも２つの通信チャネルをサポートすることを特徴とする多重チャネル通信端末であって、
第１通信モジュールと
第２通信モジュールと、
前記第１通信モジュールによって前記第１通信チャネルを介して遠隔サーバーが配分した前記ユーザー身分識別情報を動的ロードし、前記第２通信モジュールによって前記第２通信チャネルを介して前記ユーザー身分識別情報に対応する通信事業者システムが提供したサービスを取得するための通信管理ユニットと、
を含み、
前記通信管理ユニットは、
前記第１通信モジュールによって対応する第１通信事業者システムと通信して、第１通信チャネルを確立する第１通信チャネル確立ユニットと、
前記第１通信チャネルを介して遠隔サーバーへサービス要求を送信して、遠隔サーバーが配分したユーザー身分識別情報を取得するためのＳＩＭデータロードユニットと、
前記第１通信チャネルを介して前記第２通信事業者システム及び遠隔サーバーと通信し、認証結果を取得するための認証算出ユニットと、
前記配分したユーザー身分識別情報及び前記認証結果によって前記第２通信事業者システムと通信して、前記第２通信チャネルを確立するための第２通信チャネル確立ユニットと、を含み、
前記サービス要求は、多重チャネル通信端末がある位置及び要求されたサービスの種類を含むことを特徴とする、多重チャネル通信端末。
【請求項２】
前記第１通信モジュールは、
移動通信又は固定ネットワークを介して遠隔サーバーにアクセスするモデムを含むことを特徴とする請求項１に記載の多重チャネル通信端末。
【請求項３】
前記第１通信モジュールは、
少なくとも１つのＳＩＭカードスロットと、
前記ＳＩＭカードスロットに接続されるＳＩＭカード読み書きチップと、更にを含み、
前記ＳＩＭカードスロットにユーザーのＳＩＭカードが挿入されることができることを特徴とする請求項２に記載の多重チャネル通信端末。
【請求項４】
前記第１通信モジュールは、
イントラネットで遠隔サーバーにアクセスするためのイントラネットインターフェースを更に含むことを特徴とする請求項１に記載の多重チャネル通信端末。
【請求項５】
前記第２通信チャネルを他の装置に共有して使用するためのチャネル共有インターフェースを更に含むことを特徴とする請求項１に記載の多重チャネル通信端末。
【請求項６】
前記通信管理ユニットは、
遠隔サーバーが前記多重チャネル通信端末に挿入されるＳＩＭカードを呼び出す時、遠隔サーバーに認証算出結果を返し、ローカルなＳＩＭカードの共有を実現するための遠隔ＳＩＭ呼出ユニットを更に含むことを特徴とする請求項３に記載の多重チャネル通信端末。
【請求項７】
前記通信管理ユニットは、
前記第１通信チャネル、第２通信チャネルにおけるサービスの確立、交換及び中断を完成し、課金に根拠を提供するように前記サービスの使用状況を記録するための業務監視管理ユニットを更に含むことを特徴とする請求項１に記載の多重チャネル通信端末。
【発明の詳細な説明】
【技術分野】
【０００１】
本発明は通信分野に属し、特に、多重チャネル通信端末に関する。
【背景技術】
【０００２】
現在、ユーザーは、ほとんど、異なるネットワーク標準に応じて異なる装置、例えば、固定ネットワークアクセス装置、２Ｇ、３Ｇ又は４Ｇに基づく移動通信ネットワーク装置、及び近距離無線通信（Ｎｅａｒ  Ｆｉｅｌｄ  Ｃｏｍｍｕｎｉｃａｔｉｏｎ，ＮＦＣ）、ＷＩＦＩ又はブルートゥース（ＢｌｕｅＴｏｏｔｈ（登録商標））に基づく近距離無線通信装置を用いることしか、対応する通信事業者にアクセスすることができない。
【０００３】
ほとんどの通信端末は、携帯電話、データカード、ホットスポット装置等の端末装置に実体のＳＩＭ（Ｓｕｂｓｃｒｉｂｅｒ  Ｉｄｅｎｔｉｔｙ  Ｍｏｄｕｌｅ，加入者識別モジュール）カードを挿入することしか、対応する通信事業者ネットワークと接続を確立できない。このように、１つの通信端末は現在の実体のＳＩＭカードに対応する通信事業者又はネットワークしかアクセスできなく、この通信事業者又はネットワークが提供した音声又はデータ等のサービスしか利用できない。
【発明の概要】
【発明が解決しようとする課題】
【０００４】
本発明の実施例は、ユーザーがいる位置に応じて、適合な通信事業者が提供したサービスを取得することができる多重チャネル通信端末を提供する。
【課題を解決するための手段】
【０００５】
本発明の実施例は以下のように実現されるものである。
【０００６】
第１通信事業者システムと確立し、遠隔サーバーが配分した、サービス共有を提供するユーザー身分識別情報を取得するための第１通信チャネルと、
前記ユーザー身分識別情報によって対応する第２通信事業者システムと確立し、前記第２通信事業者システムが提供したサービスを取得するための第２通信チャネルと、の少なくとも２つの通信チャネルをサポートする多重チャネル通信端末。
【発明の効果】
【０００７】
本発明の具体的な実施形態において、ユーザーが必要に応じて適合なユーザー身分識別情報を取得し、このユーザー身分識別情報によって対応する通信事業者と通信し、この通信事業者が提供したサービスを取得し、これによって、異なる国同士間や異なるネットワーク同士間、異なる通信事業者同士間、異なる技術標準同士間、異なる業務同士間のネットワークアクセスサービスを取得できる。
【図面の簡単な説明】
【０００８】
【図１】本発明の実施例にかかる多重チャネル通信端末の構成模式図である。
【図２】本発明の実施例にかかる通信管理ユニットの構成模式図である。
【図３】図１〜図２における多重チャネル通信端末の応用シーンのフローチャートである。
【発明を実施するための形態】
【０００９】
本発明の目的、技術態様及びメリットを明確にするために、以下、図面及び実施例を参照して、本発明をさらに詳細に説明する。理解すべきは、ここに記載した具体的な実施例は本発明を解釈するためのものだけであり、本発明を限定するものではない。
【００１０】
本発明の実施例における多重チャネル通信端末は２つ以上の通信チャネルを有し、遠隔サーバーとの通信により、遠隔サーバーが提供した、共有のためのユーザー身分識別情報を取得し、異なる国同士間、異なる通信事業者同士間、異なる標準同士間の様々な業務を実現する。
【００１１】
本発明の実施例にかかる多重チャネル通信端末は少なくとも２つの通信チャネルをサポートすることができ、このうち、
第１通信チャネルは、第１通信事業者システムと確立し、遠隔サーバーが配分した、サービス共有を提供するユーザー身分識別情報を取得するためのものである。
【００１２】
本発明の実施例において、ユーザー身分識別情報は通信事業者がユーザーに対して認証することに用いられ、例えば、移動通信事業者のユーザーのＳＩＭデータ、リアルタイム通信ユーザーのリアルタイム通信標識に対応したパスワード、ＷＩＦＩユーザーのパスワード、ｘＤＳＬユーザーのユーザー名、パスワードなどが挙げられる。
【００１３】
第２通信チャネルは、このユーザー身分識別情報によって対応する第２通信事業者システムと確立し、第２通信事業者システムが提供したサービスを取得するためのものである。
【００１４】
図１に、本発明の一実施例にかかる多重チャネル通信端末の構成を示し、説明の都合上、本発明の実施例に関連する部分のみを示した。
【００１５】
多重チャネル通信端末１０は、第１通信モジュール１１、第２通信モジュール１２、及び通信管理ユニット１３を含む。
【００１６】
通信管理ユニット１３は、第１通信モジュール１１によって第１通信事業者システム３０との間に確立した第１通信チャネルを介して遠隔サーバー２０が配分した前記ユーザー身分識別情報を動的ロードし、第２通信モジュール１２によって第２通信事業者システム４０との間に確立した第２通信チャネルを介して第２通信事業者システム４０が提供したサービスを取得する。
【００１７】
本発明の一実施例として、第１通信モジュール１１は、インターネット（Ｉｎｔｅｒｎｅｔ）又はイントラネット（Ｉｎｔｒａｎｅｔ）を含むネットワークを介して、遠隔サーバー２０と通信することができる。
【００１８】
本発明の一実施例において、第１通信モジュール１１は、モデムを含み、移動通信、例えば、ＧＳＭ（登録商標）、ＧＰＲＳ、ＥＤＧＥ、ＣＤＭＡ、ＥＶＤＯ、ＵＭＴＳ、ＬＴＥ、ＷＩＦＩ、衛星通信などの方式を介して遠隔サーバー２０にアクセスし、又は、固定ネットワーク、例えば、ＡＤＳＬ、ＣＡＢＬＥ等を介して遠隔サーバー２０にアクセスする。具体的には、多重チャネル通信端末１０がサポートするネットワークアクセス方式に応じて対応するモデムを選択してよい。
【００１９】
本発明の１つの好ましい実施例として、第１通信モジュール１１は１枚又は複数枚の実体のＳＩＭカードをサポートし、多重チャネル通信端末１０はこのＳＩＭカードを介して対応する通信事業者システムと通信して第１通信チャネルを確立し、遠隔サーバー２０にアクセスすることができる。
【００２０】
この場合、第１通信モジュール１１は少なくとも１つのＳＩＭカードスロット及びＳＩＭカードスロットに接続されるＳＩＭカード読み書きチップを有し、前記ＳＩＭカードスロットにユーザーのＳＩＭカードが挿入されることができる。
【００２１】
本発明の他の一実施例として、第１通信モジュール１１はイントラネットで遠隔サーバー２０にアクセスして、第１通信チャネルを確立してもよい。この場合、第１通信モジュール１１は、多重チャネル通信端末１０がイントラネットで遠隔サーバー２０にアクセスするためのＵＳＢ、ＢＴ又はＥｔｈ−Ｔｒｕｎｋインターフェースのようなイントラネットインターフェースを有する。
【００２２】
第１通信モジュール１２はモデムを含み、移動通信、例えば、ＧＳＭ（登録商標）、ＧＰＲＳ、ＥＤＧＥ、ＣＤＭＡ、ＥＶＤＯ、ＵＭＴＳ、ＬＴＥ、ＷＩＦＩ、衛星通信などの方式を介して第２通信事業者システム４０にアクセスし、又は、固定ネットワーク、例えば、ＡＤＳＬ、ＣＡＢＬＥ等を介して第２通信事業者システム４０にアクセスする。具体的には、多重チャネル通信端末１０がサポートするネットワークアクセス方式に応じて対応するモデムを選択してよい。
【００２３】
本発明の１つの好ましい実施例として、多重チャネル通信端末１０はチャネル共有インターフェース１４を含み、第２通信チャネルを他の装置に共有して使用してよい。
チャネル共有インターフェース１４はＵＳＢ、ＢＴ、ＷＩＦＩ又はＮＦＣインターフェースでよい。
【００２４】
図２に、本発明の実施例にかかる通信管理ユニットの構成を示し、説明の都合上、本発明の実施形態に関連する部分のみを示した。
【００２５】
第１通信チャネル確立ユニット１３１は、第１通信モジュール１１を介して対応する第１通信事業者システム３０と通信し、第１通信チャネルを確立する。具体的には、第１通信チャネル確立ユニット１３１はローカルなユーザー身分識別情報、例えば、ＳＩＭカードを用いて、第１通信モジュール１１によって対応する第１通信事業者システム３０と通信し、第１通信チャネルを確立する。
【００２６】
ＳＩＭデータロードユニット１３２は、第１通信チャネルを介して遠隔サーバー２０へサービス要求を送信して、遠隔サーバー２０が配分したユーザー身分識別情報を取得する。
本発明の実施例において、ＳＩＭデータロードユニット１３２が遠隔サーバー２０へ送信したサービス要求には、多重チャネル通信端末１０がある位置及び要求されたサービス種類、例えば、音声サービス、データサービス又はビデオサービスなどを含む。
【００２７】
認証算出ユニット１３３は第１通信チャネルを介して第２通信事業者システム４０及び遠隔サーバー２０と通信し、認証結果を取得する。
【００２８】
多重チャネル通信端末１０が挿入されたＳＩＭカードによって通信事業者システムと通信する時、認証算出ユニット１３３は、遠隔サーバー２０が配分したユーザー身分識別情報を利用して対応する第２通信事業者システム４０に登録し、第２通信事業者システム４０が返した、ＳＩＭカードに算出させる必要がある乱数、認証秘密キーなどの認証データパケットが含まれる認証要求を受信する。
【００２９】
認証算出ユニット１３３は、遠隔サーバー２０にＳＩＭカードに算出させる必要がある認証データパケットを送信する。遠隔サーバー２０は、認証算出を行うように対応するＳＩＭカードを制御し、且つ認証算出ユニット１３３に算出した認証結果を返する。
【００３０】
第２通信チャネル確立ユニット１３４はこの配分したユーザー身分識別情報及びこの認証結果を利用して、第２通信モジュール１２を介して第２通信事業者システム４０と通信し、第２通信チャネルを確立することによって、第２通信事業者システム４０が提供したサービスを取得する。好ましくは、第２通信チャネル確立ユニット１３４はチャネル共有インターフェース１４を介して第２通信チャネルを他の装置に共有して使用してもよい。
【００３１】
本発明の一実施例として、通信管理ユニット１３は業務監視管理ユニット１３５を更に含む。業務監視管理ユニット１３５は、第１通信チャネル、第２通信チャネルにおいるすべてのサービスの確立、交換及び中断を完成し、ユーザー及び遠隔サーバー２０の課金などに根拠を提供するように、サービス使用状況、例えば、データの流量、通話時間、ビデオの大きさなどを記録する。
【００３２】
遠隔サーバー２０は、サービス使用状況に応じて、ＳＩＭが共有する課金、決済、勘定などを自動に完成する。
【００３３】
本発明の１つの好ましい実施例として、多重チャネル通信端末１０は、遠隔サーバー２０からの呼出によって、ローカルなＳＩＭカードを他のユーザーに共有して使用してもよい。
【００３４】
遠隔サーバー２０が多重チャネル通信端末１０に挿入されたＳＩＭカードを呼び出す時、遠隔ＳＩＭ呼出ユニット１３６は遠隔サーバー２０に認証算出結果を返し、これによって、ローカルなＳＩＭカードの共有を実現する。
【００３５】
遠隔ＳＩＭ呼出ユニット１３６は実体のＳＩＭの読み書きプロセスをシミュレーションする。他の装置が遠隔サーバー２０を介して本装置が共有した実体のＳＩＭカードのサービスを呼び出す時、第１通信チャネルを介して遠隔サーバー２０に対応する認証算出結果を返して、ＳＩＭカードの遠隔呼出を実現する。
【００３６】
ここで、この多重チャネル通信端末１０が共有した実体のＳＩＭカードのサービスは、この多重チャネル通信端末１０によって遠隔サーバー２０にローカルな実体のＳＩＭカード情報、ＩＰアドレス及び共有したサービス種類を予めアップロードし、呼出遠隔サーバー２０によって対応する通信事業者システムのサービスを有するＳＩＭとしてローカルなＳＩＭカード情報を登録する。
【００３７】
遠隔ＳＩＭ呼出ユニット１３６によって、多重チャネル通信端末１０が現在のユーザー身分識別情報に対応するサービスを、いずれかの通信方式により他の装置に共有して使用してもよく、例えば、この多重チャネル通信端末１０の実体のＳＩＭカードのデータ音声業務を共有する。
【００３８】
実体のＳＩＭは、多重チャネル通信端末１０に挿入された時、遠隔サーバー２０によって呼び出されることができるＳＩＭになる。他のユーザーが遠隔サーバー２０を介してこのＳＩＭを動的に呼び出した時、ある時間帯におけるこのＳＩＭの有するサービスを取得でき、実体のＳＩＭカードに対応するサービスの共有を実現した。
【００３９】
実体のＳＩＭカードは国家及び通信事業者に限られなく、すべての実体のＳＩＭカード情報及び関連したサービス情報、例えば、プラン、費用などが遠隔サーバー２０によって画一に管理、呼出及び配分される。遠隔サーバー２０は、コンピュータ、スマートフォン、タブレット及び多重チャネル通信端末１０上に実行されるクライアントによって、地理位置、業務種類、価格、時間帯、共有対象（指定ユーザー）などを含む、個人やグループからの共有設定の要求を取得することができる。
【００４０】
上記をまとめて、本発明の実施例における多重チャネル通信端末１０は、多重チャネルを有する通信装置であり、１枚又は複数枚の実体のＳＩＭカードをサポートし、ＳＩＭデータの動的ロードをサポートし、遠隔端のＳＩＭの呼出機能を更にサポートし、かつ、他の通信装置にＵＳＢ、ＷＩＦＩ、ＢＴ、ＮＦＣなどの形式でデータ、音声等サービスを共有することができる。
【００４１】
多重チャネル通信端末１０は少なくとも２つの通信モジュールを有し、ＧＳＭ（登録商標）、ＧＰＲＳ、ＥＤＧＥ、ＣＤＭＡ、ＥＶＤＯ、ＵＭＴＳ、ＬＴＥ、ＷＩＦＩ、衛星通信などの移動通信モデム（ＭＯＤＥＭ）でもよく、ＡＤＳＬ、ＣＡＢＬＥなどの固定通信モデムでもよい。
【００４２】
多重チャネル通信端末１０は挿入された実体のＳＩＭカードによる身分認証方式あるいは他の身分認証の方式をサポートし、対応する通信モジュールによって第１通信チャネルを確立する。第１通信チャネルを介して遠隔サーバー２０又は遠隔ＳＩＭカードをサポートする装置が配分された１つ又は複数のＳＩＭデータ又は他のユーザー身分識別情報を取得し、且つ自体の多重チャネル機能によってこのＳＩＭデータ又は他のユーザー身分識別情報が有する業務機能に対応した第２通信チャネルを確立する。
【００４３】
本発明の一実施例として、多重チャネル通信端末１０は、挿入されたＳＩＭカード又は設置されたＳＩＭデータを、遠隔サーバー２０のノードとすることをサポートし、他の多重チャネル通信端末によって呼び出されることをサポートする。
【００４４】
本発明の一実施例として、多重チャネル通信端末１０は、ＵＳＢ、ＢＴ、ＷＩＦＩ、ＮＦＣなどの方式によっていずれかのチャネルの業務を他の装置に共有することができる。
【００４５】
本発明の実施例では、多重チャネル通信端末１０は、ＭＩＦＩ、ＵＳＢデータカード、携帯電話、ＰＡＤ、Ｍ２Ｍなどの知能多重チャネル通信端末でもよく、又は、これらの知能多重チャネル通信端末の内蔵モジュールでもよい。
【００４６】
多重チャネル通信端末１０は、接続管理システムによって、ユーザーの使用シーン、装置があるネットワーク環境に応じて、多重チャネルの確立、ＳＩＭデータのロード、データ転送、チャネル中断、流量の監視等を自動に行い、異なる国同士間、異なる事業者同士間、異なる標準同士間の様々な業務、及び個人ＳＩＭが有する業務、特に、データ業務／帯域幅のローミング、共有（シェア）、交換、取引等のサービスを実現する。
【００４７】
本発明の上述した実施例では、ユーザーは必要に応じて適合なＳＩＭデータ又はユーザー身分識別情報を取得し、ＳＩＭ情報又はユーザー身分識別情報に対応する通信事業者との間の通信を実現し、この通信事業者が提供したサービスを取得し、これによって、異なる国同士間や異なるネットワーク（通信事業者）同士間、異なる技術標準同士間、異なる業務同士間のネットワークアクセスサービスを取得できる。
【００４８】
図３に示すように、本発明の具体的な実施形態の多重チャネル通信端末の応用シーンである。
【００４９】
１．多重チャネル通信端末は、現在にサポートできるユーザー身分識別情報によって、第１通信事業者システムと接続し、第１通信事業者システムが提供したネットワーク接続サービスを取得し、遠隔サーバーとの間の第１通信チャネルを確立する。
【００５０】
２．多重チャネル通信端末は、第１通信チャネルを介して遠隔サーバーと通信し、第２通信事業者のサービスを取得するサービス要求情報を送信し、サービス要求情報には、ユーザーの現在の位置、要求されたサービス種類等が含まれる。
【００５１】
３．遠隔サーバーは、多重チャネル通信端末に第２通信事業者のサービスを取得できるユーザー身分識別情報を配分する。
【００５２】
４．多重チャネル通信端末は、遠隔サーバーが配分したユーザー身分識別情報を利用して第２通信事業者システムに登録する。
【００５３】
５．第２通信事業者システムは、多重チャネル通信端末へ認証要求を送信し、ユーザー認証情報を提供するように多重チャネル通信端末に要求させる。
【００５４】
６．多重チャネル通信端末は、第２通信事業者システムが要求する認証情報をシミュレーションして算出する。
【００５５】
７．多重チャネル通信端末は、遠隔サーバーに必要となる認証データを送信する。
【００５６】
８．遠隔サーバーは、認証データを動的に算出し、認証データには、具体的に、乱数、認証キー等が含まれる。
【００５７】
９．遠隔サーバーは、多重チャネル通信端末へ第２通信事業者システムが要求する認証結果を返する。
【００５８】
１０．多重チャネル通信端末は、第２通信事業者システムへ認証情報を提供する。
【００５９】
１１．第２通信事業者システムは、認証をパスする。
【００６０】
１２．多重チャネル通信端末と第２通信事業者システムとの間に第２通信チャネルを確立する。
【００６１】
１３．多重チャネル通信端末は、第２通信チャネルを介して第２通信事業者が提供したサービスを取得する。
【００６２】
１４．多重チャネル通信端末は、第１通信チャネルを介して遠隔サーバーに業務情報をアップロードする。
【００６３】
１５．多重チャネル通信端末は、必要に応じて第１通信事業者システムとの接続を中断したり、同時サービスを保持する。
【００６４】
本発明の他の一実施例として、ユーザーは、ＳＩＭ又は他のユーザー身分識別情報を共有してもよい。
【００６５】
まず、ユーザーは、公衆ネットワークチャネルの確立の必要があるＳＩＭカード及び業務共有の必要があるＳＩＭカードのいずれも多重チャネル通信端末に挿入する。
多重チャネル通信端末は、挿入されたＳＩＭカード又は他の設定された認証方式に応じて、適当なアクセスチャネルを自動に選択し、遠隔サーバーとの通信及び協同のための第１のデータチャネルを確立する。
【００６６】
ユーザーは、共有される必要があるＳＩＭカードの属性、例えば、共有できる時間帯、流量プラン等を設定することができ、多重チャネル通信端末は、遠隔サーバーにローカルな公衆ネットワークＩＰ（固定ＩＰ及び動的ＩＰをサポートする）アドレスを自動に登録し、共有しようとするＳＩＭカードが遠隔サーバーにおいる分散的なＳＩＭノードとなるようにさせる。
【００６７】
遠隔サーバーは、ユーザーが設定した共有取引策略に応じて、このノードＳＩＭが有する業務を整合するようにこの業務を要求した他のユーザー端末に呼び出し、これによって、ＳＩＭ業務の共有及び取引を実現する。
【００６８】
本発明の具体的な実施形態が提供した多重チャネル通信端末は、特別な無線ルーター（ＭＩＦＩ）としてもよく、普通のＵＳＢデータカード、ＭＩＦＩ等の製品としてもよく、２つ以上の無線チャネル（例えば２Ｇ、３Ｇ、３Ｇ、ＷＩＦＩ、ＢＴネットワーク）の間に広域相互接続を確立でき、又は、２つのＷＩＦＩ、ＢＴ、ＮＦＣのネットワークの間にイントラネット相互接続を実現できる。
【００６９】
本発明の実施例において、ユーザーは必要に応じて適合なユーザー身分識別情報を取得し、このユーザー身分識別情報によって対応する通信事業者と通信し、この通信事業者が提供したサービスを取得し、これによって、異なる国同士間や異なるネットワーク同士間、異なる通信事業者同士間、異なる技術標準同士間、異なる業務同士間のネットワークアクセスサービスを取得できる。
【００７０】
当業者は、上述した実施例におけるすべて又は一部の方法の実現について、コンピュータのプログラムコマンドによって関連したハードウェアを指示して完成することができ、前記プログラムがコンピュータの読み取り可能な記憶媒体に記憶されていることができ、このプログラムが実行されたとき、上述した各態様の実施例の手順を含むことができることが理解すべきである。前記記憶媒体は、磁気ディスク、光ディスク、読出し専用メモリー（Ｒｅａｄ−Ｏｎｌｙ  Ｍｅｍｏｒｙ，ＲＯＭ）又はランダムアクセスメモリ（Ｒａｎｄｏｍ  Ａｃｃｅｓｓ  Ｍｅｍｏｒｙ，ＲＡＭ）等でよい。
【００７１】
以上は本発明の好適な実施例だけであり、本発明を制限するものではなく、本発明の精神及び原則の範囲で行ったいずれかの修正や同等の置き換え、改良等も本発明の保護範囲に含まれるはずである。
【図１】
0005963828.tif 000002
【図２】
0005963828.tif 000003
【図３】
0005963828.tif 000004